(57)【要約】【課題】用紙の取り忘れがあった場合などに、そのＰＣの使用者に直接注意を促すなどの対応を取りやすくする。【解決手段】特定のＰＣを示す表示オブジェクトを物理空間に模して配置した地図上に表示させる地図・ＰＣ表示部１０４と、特定のネットワークプリンタに蓄積されている印刷履歴を表示する印刷履歴表示部１０１と、ＰＣを特定するためのアドレスを前記印刷履歴表示部１０１から地図・ＰＣ表示部１０４に通知する印刷番号入力部１０２と印刷履歴検索部１０３とを備えた。【選択図】図２
2007249831.tif 000002
【特許請求の範囲】
【請求項１】
特定のＰＣを示す表示オブジェクトを物理空間に模して配置した地図上に表示させるＰＣ表示制御手段と、
特定のネットワークプリンタに蓄積されている印刷履歴を表示する印刷履歴表示手段と、
ＰＣを特定するためのアドレスを前記印刷履歴表示手段からＰＣ表示制御手段に通知するアドレス通知手段と、
を備えた印刷履歴表示装置。
【請求項２】
特定のＰＣを使用者から選択可能にするＰＣ選択手段と、
ＰＣ選択手段によって選択された回数を蓄積するカウンタ蓄積手段と、
を備えていることを特徴とする請求項１記載の印刷履歴表示装置。
【請求項３】
カウンタ蓄積手段から情報を取得し、リストを生成・表示するリスト表示手段をさらに備えていることを特徴とする請求項２記載の印刷履歴表示装置。
【請求項４】
コンピュータにロードされ、印刷表示記録を表示させるコンピュータプログラムにおいて、
特定のＰＣを示す表示オブジェクトを物理空間に模して配置した地図上に表示させる第１の手順と、
特定のネットワークプリンタに蓄積されている印刷履歴を表示させる第２の手順と、
ＰＣを特定するためのアドレスを前記印刷履歴表示手段からＰＣ表示制御手段に通知する第３の手順と、
を備えていることを特徴とするコンピュータプログラム。
【請求項５】
特定のＰＣを使用者から選択させる第４の手順と、
前記第４の手順によって選択された回数を蓄積する第５の手順と、
を備えていることを特徴とするコンピュータプログラム。
【請求項６】
前記第５の手順で蓄積された回数情報を取得し、リストを生成、表示する第６の手順をさらに備えていることを特徴とする請求項５記載のコンピュータプログラム。
【請求項７】
請求項４ないし６のいずれか１項に記載のコンピュータプログラムがコンピュータによって読み取られ、実行可能に記録されていることを特徴とする記録媒体。
【発明の詳細な説明】
【技術分野】
【０００１】
本発明はＰＣ（以下、本明細書ではパーソナルコンピュータをＰＣと称す）と機器情報をネットワーク経由で提供する機能を持つネットワークプリンタにおける印刷履歴表示装置、及びこの印刷履歴を表示させるコンピュータプログラム、並びに、このコンピュータプログラムを記録した記録媒体に関する。
【背景技術】
【０００２】
この種の技術として特許文献１及び２に記載された発明が公知である。このうち特許文献１には、簡易なシステムで、地図情報を用いて視認しやすい状態で顧客管理を行うことができるようにするため、表面の印字や画像を書き換え可能なリライタブルカードを用いて顧客管理を行い、顧客管理情報処理部は顧客ごとに購買履歴を分析し、顧客を改装に分別し、電子地図処理部は階層情報を階層毎に異なる色情報に変換し、地図上に顧客住所を色分けされたドットで示すことができる地図画像出力を行うことが開示されている。
【０００３】
また、特許文献２には、復旧後に最新の情報を提供するための仕組みである情報更新システムを提供するために建物情報が更新された場合に、液晶表示装置上の情報がリアルタイムで更新される発明が開示されている。
【０００４】
さらに、印刷履歴の表示についてはRidoc IO Admin（国内）、Smart Device Monitor for Admin（海外）で実施されており、情報の取得はＳＮＭＰ／ＭＩＢやＦＴＰで行うようになっている。
【特許文献１】特開２００２−９２２８８号公報
【特許文献２】特開２００４−２７２１２３号公報
【発明の開示】
【発明が解決しようとする課題】
【０００５】
ところで、ネットワークにＰＣとプリンタが接続されている場合、リモートでの印刷後、印刷した用紙を取り忘れる一般ユーザがいる。また、印刷した紙を取り忘れることが常態化している一般ユーザもいる。
【０００６】
しかし、前記従来技術では、取り忘れに対する配慮は特にされていなかった。
【０００７】
そこで、本発明が解決すべき課題は、地図表示を利用して、前記取り忘れる一般ユーザに対する注意を喚起しやすくすることにある。
【課題を解決するための手段】
【０００８】
前記課題を解決するため、第１の手段は、特定のＰＣを示す表示オブジェクトを、物理空間に模して配置した地図上に表示させることのできるＰＣ表示制御手段と、特定のネットワークプリンタに蓄積されている印刷履歴を表示する印刷履歴表示手段と、ＰＣを特定するためのアドレスを、印刷履歴表示手段からＰＣ表示制御手段の間で通知するアドレス通知手段と、を備えていることを特徴とする。
【０００９】
第２の手段は、第１の手段にさらに、特定のＰＣを使用者から選択可能にするＰＣ選択手段と、ＰＣ選択手段によって選択された回数を蓄積するカウンタ蓄積手段と、を備えていることを特徴とする。
【００１０】
第３の手段は、第２の手段にさらに、カウンタ蓄積手段から情報を取得し、リストを生成・表示するリスト表示手段を備えていることを特徴とする。
【００１１】
第４の手段は、コンピュータにロードされ、印刷表示記録を表示させるコンピュータプログラムにおいて、特定のＰＣを示す表示オブジェクトを物理空間に模して配置した地図上に表示させる第１の手順と、特定のネットワークプリンタに蓄積されている印刷履歴を表示させる第２の手順と、ＰＣを特定するためのアドレスを前記印刷履歴表示手段からＰＣ表示制御手段に通知する第３の手順とを備えていることを特徴とする。
【００１２】
第５の手段は、第４の手段において、特定のＰＣを使用者から選択させる第４の手順と、前記第４の手順によって選択された回数を蓄積する第５の手順とを備えていることを特徴とする。
【００１３】
第６の手段は、第５の手段において、前記第５の手順で蓄積された回数情報を取得し、リストを生成、表示する第６の手順をさらに備えていることを特徴とする。
【００１４】
第７の手段は、第４ないし第６のいずれかに記載のコンピュータプログラムがコンピュータによって読み取られ、実行可能に記録媒体に記録されていることを特徴とする。
【００１５】
なお、後述の実施形態では、ＰＣ表示制御手段は地図・ＰＣ表示部１０４に、印刷履歴表示手段は印刷履歴表示部１０１に、アドレス通知手段は印刷番号入力部１０２と印刷履歴検索部１０３に、ＰＣ選択手段はＰＣアドレス入力手段２０５に、カウンタ蓄積手段は注意カウント蓄積部２０６に、リスト表示手段はリスト表示部３０７に、それぞれ対応する。
【発明の効果】
【００１６】
本発明によれば、ジョブを出力したＰＣを物理空間上で視覚的に確認することが容易になる。そのため、用紙の取り忘れがあった場合などに、そのＰＣの使用者に直接注意を促すなどの対応を取りやすくなる。その結果、印刷文書を放置することによる情報漏洩を防止し、これにより印刷文書のセキュリティ向上に寄与することができる。
【発明を実施するための最良の形態】
【００１７】
以下、図面を参照し、本発明の実施形態について説明する。
【００１８】
図１は本発明の実施形態に係るネットワークシステムのシステム構成の概略を示す図である。本システムは、ネットワークＮＴに対してネットワークプリンタＡと、ネットワーク機能を有するＰＣ（パーソナルコンピュータ）：Ｂ、Ｃ、Ｄとからなる。
【００１９】
図２は本発明の実施形態に係るネットワーク機器管理システムのシステム構成を示す図である。図２において、ネットワーク機器管理システムは、印刷履歴蓄積部１００に対して印刷履歴表示部１１０及び印刷履歴検索部１０３が接続され、印刷履歴検索部１０３に印刷番号入力部１０２と地図ＰＣ表示部１０４がそれぞれ接続され、前記地図ＰＣ表示部１０４にＰＣアドレス入力部２０５、注意カウント蓄積部２０６及びリスト表示部３０７がシリアルに接続された構成となっている。
【００２０】
印刷履歴蓄積部１００は、特定のネットワークプリンタに対する印刷履歴を蓄積する。印刷したＰＣの印刷履歴の構成項目としては、印刷を特定するための番号（ＩＤ）、印刷したＰＣのアドレス、文書名（使用者による視認のため）を持つ。予め設定したメモリやハードディスクの所定の領域に設定され、当該領域に印刷履歴を蓄積する。
【００２１】
印刷履歴表示部１０１は印刷履歴蓄積部１００に蓄積されている印刷履歴を表示する。図３はこの印刷履歴表示部１０１に表示された画面の一例を示す図である。印刷番号入力部１０２は、印刷履歴の中から、印刷を特定するための番号を入力するもので、番号そのものをキーボードから入力し、あるいは、リストから行を選択することにより番号指定に代えるなどの方法がとられる。印刷履歴検索部１０３は、印刷履歴蓄積部１００に蓄積された印刷履歴の中から、印刷番号入力部１０２から指定された番号に対応する要素を検索し、印刷したＰＣのアドレスを取り出すという機能を有する。地図・ＰＣ表示部１０４は、特定のＰＣを示す表示オブジェクトを、物理空間に模して配置した地図上に表示する。ＰＣを特定するために、アドレスを要求する。
【００２２】
ＰＣアドレス入力部２０５は、地図上で視認したＰＣのアドレスを使用者に入力させる。具体的には、アドレスそのものをキーボードから入力させ、あるいは地図上から表示オブジェクトを選択することによりアドレス指定に代える。注意カウント蓄積部２０６は、アドレス毎に、ＰＣアドレス入力部２０５から入力された回数を蓄積する。
【００２３】
リスト表示部３０７は、注意カウント蓄積部２０６に蓄積されたアドレスと回数の組をリストにして出力する。画面表示の他、ＣＳＶ等のファイル出力も考えられる。
【００２４】
図４は全体の動作手順を示すフローチャートである。この処理手順では、まず、印刷履歴表示部１０１に印刷履歴を表示し（ステップＳ１０１）、印刷番号入力部１０２から印刷番号を入力する（ステップＳ１０２）。次いで、印刷履歴検索部１０３は印刷番号に対応する要素を検索し（ステップＳ１０３）、発見した要素から印刷したＰＣのアドレスを取り出す（ステップＳ１０４）。そして、地図・ＰＣ表示部１０４で地図及び該当するアドレスのＰＣを表示する（ステップＳ１０５）。
【００２５】
なお、これらの処理手順はプログラムコードに変換してＦＤ、ＣＤ−ＲＯＭなどの記録媒体に記録され、ＰＣにロードされてＲＡＭ上に展開され実行される。なお、前記プログラムはネットワークを介して外部のサーバからダウンロードされて使用されることもあり、このような場合は、一時的にもＲＡＭなどのメモリに記憶されるので、このような記憶手段を機能する記録媒体も本発明に言う記録媒体に含まれる。
【００２６】
図５は、注意カウント蓄積部２０６の入力回数の蓄積イメージを示す図である。同図からアドレスとアドレス入力回数の対応が判断できる。
【００２７】
以上のように、本実施形態によれば、
１）ジョブを出力したＰＣを物理空間上で視覚的に確認することが容易になる。そのため、用紙の取り忘れがあった場合などに、そのＰＣの使用者に直接注意を促すなどの対応を取りやすくなる。その結果、印刷文書のセキュリティ向上に寄与することができる。なお、この場合のセキュリティの向上は、印刷文書を放置することによる情報漏洩を再現に抑えることができるという意味である。  
２）カウンタ蓄積手段を備えているので、地図上から警告のためのカウンタを計上できるようになる。それによって誰の用紙取り忘れが多いか確認することが可能になる。  
３）カウンタ蓄積手段から情報を取得し、リストを生成・表示するので、地図上から警告のためのカウンタを画面上で一望できるようになり、該当者に対してより効果的な注意をするなどの対応が取りやすくなる。  
等の効果を奏する。
【図面の簡単な説明】
【００２８】
【図１】本発明の実施形態に係るネットワークシステムのシステム構成の概略を示す図である。
【図２】本発明の実施形態に係るネットワーク機器管理システムのシステム構成を示す図である。
【図３】印刷履歴表示部に表示された画面の一例を示す図である。
【図４】全体の動作手順を示すフローチャートである。
【図５】注意カウント蓄積部の入力回数の蓄積イメージを示す図である。
【符号の説明】
【００２９】
１００  印刷履歴蓄積部
１０１  印刷履歴表示部
１０２  印刷番号入力部
１０３  印刷履歴検索部
１０４  地図・ＰＣ表示部
２０５  アドレス入力部
２０６  注意カウント蓄積部
２０７  リスト表示部
【図１】
2007249831.tif 000003
【図２】
2007249831.tif 000004
【図３】
2007249831.tif 000005
【図４】
2007249831.tif 000006
【図５】
2007249831.tif 000007